(57)【要約】【課題】映像信号のデータ量を減少させながら、ドライバの視野範囲内にある表示機における映像品質の低下を抑制できる表示制御装置及び表示システムを提供すること。【解決手段】映像信号（Ａ０、Ｂ０、Ｃ０）を取得する映像信号取得ユニット（１７）と、前記映像信号を表示機（１１、１３、１５）に出力する映像信号出力ユニット（２５）と、ユーザの視線方向（Ｚ）を取得する視線方向取得ユニット（１９、２１、２３）と、前記視線方向に基づいて設定される視野範囲内に前記表示機があるか否かを判断する判断ユニット（１９、２１、２３）と、前記視野範囲内に前記表示機がないと判断した場合は、前記視野範囲内に前記表示機があると判断した場合に比べて、その表示機に出力する前記映像信号のデータ量が小さくなるように前記映像信号のデータ量を調整するデータ量調整ユニット（１９、２１、２３）と、を備えることを特徴とする表示制御装置（１）。【選択図】 図１
2016149651.tif 000002
【特許請求の範囲】
【請求項１】
映像信号（Ａ０、Ｂ０、Ｃ０）を取得する映像信号取得ユニット（１７）と、
前記映像信号を表示機（１１、１３、１５）に出力する映像信号出力ユニット（２５）と、
ユーザの視線方向（Ｚ）を取得する視線方向取得ユニット（１９、２１、２３）と、
前記視線方向に基づいて設定される視野範囲内に前記表示機があるか否かを判断する判断ユニット（１９、２１、２３）と、
前記視野範囲内に前記表示機がないと判断した場合は、前記視野範囲内に前記表示機があると判断した場合に比べて、その表示機に出力する前記映像信号のデータ量が小さくなるように前記映像信号のデータ量を調整するデータ量調整ユニット（１９、２１、２３）と、
を備えることを特徴とする表示制御装置（１）。
【請求項２】
請求項１に記載の表示制御装置であって、
前記映像信号出力ユニットは、複数の前記表示機のそれぞれについて、前記映像信号を出力し、
前記判断ユニットは、複数の前記表示機のそれぞれについて、前記視野範囲内に前記表示機があるか否かを判断し、
前記データ量調整ユニットは、複数の前記表示機のそれぞれについて、前記判断ユニットの判断結果に基づき、前記映像信号のデータ量を調整することを特徴とする表示制御装置。
【請求項３】
請求項２に記載の表示制御装置であって、
前記映像信号出力ユニット及び複数の前記表示機は、デイジーチェーンの形式で接続されていることを特徴とする表示制御装置。
【請求項４】
請求項１〜３のいずれか１項に記載の表示制御装置であって、
前記視線方向取得ユニットは、ユーザの顔を撮影した映像に基づき前記視線方向を検知する機能を有する視線検知装置（２９）から前記視線方向を取得することを特徴とする表示制御装置。
【請求項５】
請求項１〜４のいずれか１項に記載の表示制御装置であって、
前記データ量調整ユニットは、（ａ）前記映像信号のフレームを間引く、（ｂ）前記映像信号を圧縮する、及び（ｃ）前記映像信号の解像度を低くする、から選択される１以上の方法で、前記映像信号のデータ量を小さくすることを特徴とする表示制御装置。
【請求項６】
請求項１〜５のいずれか１項に記載の表示制御装置と、前記表示機と、前記映像信号を生成するカメラ（５、７、９）と、を備えることを特徴とする表示システム（３）。
【発明の詳細な説明】
【技術分野】
【０００１】
本発明は表示制御装置及び表示システムに関する。
【背景技術】
【０００２】
従来、車両にカメラを搭載し、そのカメラにより取得した映像を車室内の表示機に表示する技術が知られている。カメラで生成した映像信号は、ケーブルにより表示機に伝送される。近年、カメラの高性能化、表示機の高解像度化により、ケーブルで伝送される映像信号のデータ量は増加している。ケーブルの容量に対し、映像信号のデータ量が過大になると、映像信号の伝搬速度が低下してしまう。特許文献１記載の発明は、必要な伝送速度が確保できない場合、映像信号のデータ量を減少させる。
【先行技術文献】
【特許文献】
【０００３】
【特許文献１】特開２００４−２５４００４号公報
【発明の概要】
【発明が解決しようとする課題】
【０００４】
映像信号のデータ量を減少させると、表示機の映像品質が低下することがある。よって、特許文献１記載の発明では、ドライバの視野範囲内にある表示機の映像品質が低下してしまうことがある。本発明は以上の点に鑑みなされたものであり、映像信号のデータ量を減少させながら、ドライバの視野範囲内にある表示機における映像品質の低下を抑制できる表示制御装置及び表示システムを提供することを目的とする。
【課題を解決するための手段】
【０００５】
本発明の表示制御装置は、映像信号を取得する映像信号取得ユニットと、映像信号を表示機に出力する映像信号出力ユニットと、ユーザの視線方向を取得する視線方向取得ユニットと、視線方向に基づいて設定される視野範囲内に表示機があるか否かを判断する判断ユニットと、視野範囲内に表示機がないと判断した場合は、視野範囲内に表示機があると判断した場合に比べて、その表示機に出力する映像信号のデータ量が小さくなるように映像信号のデータ量を調整するデータ量調整ユニットとを備える。
【０００６】
本発明の表示制御装置は、表示機がユーザの視野範囲内にない場合、視野範囲内にある場合よりも、その表示機に出力する映像信号のデータ量を小さくする。そのことにより、映像信号のデータ量を減少させることができる。また、表示機がユーザの視野範囲内にある場合、映像信号のデータ量は、表示機がユーザの視野範囲外にある場合より大きいので、その表示機における映像品質を維持することができる。
【図面の簡単な説明】
【０００７】
【図１】表示制御装置１及び表示システム３の構成を表すブロック図である。
【図２】自車両２６における第１のカメラ５、第２のカメラ７、及び第３のカメラ９の配置を表す平面図である。
【図３】ドライバ２７、表示機、視線方向Ｚ、及び視野範囲の関係を表す説明図である。
【図４】表示制御装置１が実行する処理を表すフローチャートである。
【図５】表示制御装置１及び表示システム３の構成を表すブロック図である。
【図６】表示制御装置１及び表示システム３の構成を表すブロック図である。
【発明を実施するための形態】
【０００８】
本発明の実施形態を図面に基づき説明する。
＜第１の実施形態＞
１．表示制御装置１及び表示システム３の構成
表示制御装置１及び表示システム３の構成を図１〜図３に基づき説明する。表示システム３は、車両に搭載される車載システムである。以下では、表示システム３を搭載する車両を自車両とする。
【０００９】
表示システム３は、表示制御装置１、第１のカメラ５、第２のカメラ７、第３のカメラ９、第１の表示機１１、第２の表示機１３、及び第３の表示機１５を備える。なお、以下では、第１の表示機１１、第２の表示機１３、及び第３の表示機１５を総称して単に表示機と呼ぶこともある。
【００１０】
表示制御装置１は、ＣＰＵ、ＲＡＭ、ＲＯＭ等を備えたコンピュータである。表示制御装置１は、ＲＯＭに記憶されたプログラムにより、後述する処理を実行する。表示制御装置１は、機能的に、演算ユニット１７、第１のデータ量調整ユニット１９、第２のデータ量調整ユニット２１、第３のデータ量調整ユニット２３、及び映像信号出力ユニット２５を備える。
【００１１】
演算ユニット１７は、第１のカメラ５から映像信号Ａ０を取得し、第２のカメラ７から映像信号Ｂ０を取得し、第３のカメラ９から映像信号Ｃ０を取得する。図２に示すように、第１のカメラ５は自車両２６の後端２６Ａに取り付けられており、自車両２６の後方の風景を撮影し、映像信号ＡＯを生成する。また、第２のカメラ７は自車両２６の右側面２６Ｂに取り付けられており、自車両２６の右斜め後方の風景を撮影し、映像信号ＢＯを生成する。また、第３のカメラ９は自車両２６の左側面２６Ｃに取り付けられており、自車両２６の左斜め後方の風景を撮影し、映像信号ＣＯを生成する。映像信号Ａ０、Ｂ０、Ｃ０はそれぞれ、フレームレート（単位時間あたりの静止画のコマ数）がＮｓである映像信号である。Ｎｓは正の数である。
【００１２】
演算ユニット１７は、映像信号Ａ０に対し、ダイナミックレンジ補正等の周知の処理を実行して映像信号Ａ１を生成し、その映像信号Ａ１を、第１のデータ量調整ユニット１９に出力する。同様に、演算ユニット１７は、映像信号Ｂ０に対し、ダイナミックレンジ補正等の周知の処理を実行して映像信号Ｂ１を生成し、その映像信号Ｂ１を、第２のデータ量調整ユニット２１に出力する。また、演算ユニット１７は、映像信号Ｃ０に対し、ダイナミックレンジ補正等の周知の処理を実行して映像信号Ｃ１を生成し、その映像信号Ｃ１を、第３のデータ量調整ユニット２３に出力する。
【００１３】
第１のデータ量調整ユニット１９は、必要に応じて映像信号Ａ１のデータ量を調整して映像信号Ａ２を生成し、その映像信号Ａ２を映像信号出力ユニット２５に出力する。
映像信号Ａ２の生成は、次のように行われる。第１のデータ量調整ユニット１９は、後述する処理により設定される、データ量の調整条件を保持している。データ量の調整条件には、映像信号におけるフレームレートをＮｓのままに保つという条件（以下、データ量維持条件とする）と、フレームレートをＮｄに落とすという条件（以下、データ量低減条件とする）とがある。ここで、Ｎｄは、Ｎｓより小さい正の数である。
【００１４】
データ量維持条件が設定されている場合、第１のデータ量調整ユニット１９は、映像信号Ａ１と同じフレームレート（Ｎｓ）を有する映像信号Ａ２を生成する。すなわち、映像信号Ａ２は映像信号Ａ１と等しい映像信号である。
【００１５】
一方、データ量低減条件が設定されている場合、第１のデータ量調整ユニット１９は、映像信号Ａ１における一部のフレームを間引くことで、フレームレートがＮｄである映像信号Ａ２を生成する。フレームレートがＮｄである映像信号Ａ２のデータ量は、フレームレートがＮｓである映像信号Ａ２のデータ量より小さい。
【００１６】
同様に、第２のデータ量調整ユニット２１は、必要に応じて映像信号Ｂ１のデータ量を調整して映像信号Ｂ２を生成し、その映像信号Ｂ２を映像信号出力ユニット２５に出力する。すなわち、映像信号Ｂ２のフレームレートは、第２のデータ量調整ユニット２１においてデータ量維持条件が設定されている場合はＮｓであり、データ量低減条件が設定されている場合はＮｄである。フレームレートがＮｄである映像信号Ｂ２のデータ量は、フレームレートがＮｓである映像信号Ｂ２のデータ量より小さい。
【００１７】
同様に、第３のデータ量調整ユニット２３は、必要に応じて映像信号Ｃ１のデータ量を調整して映像信号Ｃ２を生成し、その映像信号Ｃ２を映像信号出力ユニット２５に出力する。すなわち、映像信号Ｃ２のフレームレートは、第３のデータ量調整ユニット２３においてデータ量維持条件が設定されている場合はＮｓであり、データ量低減条件が設定されている場合はＮｄである。フレームレートがＮｄである映像信号Ｃ２のデータ量は、フレームレートがＮｓである映像信号Ｃ２のデータ量より小さい。
【００１８】
映像信号出力ユニット２５は、映像信号Ａ２、Ｂ２、Ｃ２を第１の表示機１１に出力する。映像信号出力ユニット２５、第１の表示機１１、第２の表示機１３、及び第３の表示機１５はデイジーチェーンの形式で接続されている。第１の表示機１１は、映像信号Ａ２に対応する表示を行う。また、第１の表示機１１は、映像信号Ｂ２、Ｃ２を第２の表示機１３に出力する。第２の表示機１３は、映像信号Ｂ２に対応する表示を行う。また、第２の表示機は、映像信号Ｃ２を第３の表示機１５に出力する。第３の表示機１５は、映像信号Ｃ２に対応する表示を行う。
【００１９】
第１の表示機１１、第２の表示機１３、及び第３の表示機１５は、液晶ディスプレイを備えており、映像を表示可能である。第１の表示機１１、第２の表示機１３、及び第３の表示機１５は、自車両の車室内に設置されている。第１の表示機１１、第２の表示機１３、及び第３の表示機１５は、図３に示すように、自車両の車幅方向（図３における左右方向）に沿って、間隔をおいて設置されている。自車両のドライバ２７の視点２７Ａから見て、第１の表示機１１は正面方向にあり、第２の表示機１３は右方向にあり、第３の表示機１５は左方向にある。視点２７Ａから第２の表示機１３に向う方向を方向Ｘとし、視点２７Ａから第３の表示機１５に向う方向を方向Ｙとすると、方向Ｘと方向Ｙとが成す角度αは１００度以上である。この角度αは、後述する視野範囲の角度である２βより大きい。
【００２０】
自車両は、表示システム３に加えて、視線検知装置２９、及び第４のカメラ３１を備える。第４のカメラ３１は自車両の車室内に設置されている。第４のカメラ３１は赤外線ＬＥＤを備えており、赤外線をドライバの目に照射する。赤外線をドライバの目に照射した状態で、第４のカメラ３１はドライバの顔を撮影し、映像信号Ｄを生成する。
【００２１】
視線検知装置２９は、映像信号Ｄに基づき、図３に示すドライバの視線方向Ｚを検知する。ドライバの視線方向Ｚの検知方法は以下のとおりである。まず、映像信号Ｄにおいて、赤外線がドライバの角膜上で反射している位置を認識する。この位置は、ドライバの瞳孔の位置である。次に、予め設定された基準位置に対する瞳孔の相対的な位置に基づき、ドライバの視線方向Ｚを検知する。例えば、瞳孔の位置が基準位置よりも目頭側である場合、視線方向Ｚは目頭側の方向であると判断する。
【００２２】
視線検知装置２９は、ドライバの視線方向Ｚを、第１のデータ量調整ユニット１９、第２のデータ量調整ユニット２１、及び第３のデータ量調整ユニット２３に出力する。第１のデータ量調整ユニット１９、第２のデータ量調整ユニット２１、及び第３のデータ量調整ユニット２３は、ドライバの視線方向Ｚを用いて、データ量の調整条件を決定する。詳しくは後述する。
【００２３】
なお、演算ユニット１７は、映像信号取得ユニットの一例である。また、第１のデータ量調整ユニット１９、第２のデータ量調整ユニット２１、及び第３のデータ量調整ユニット２３は、視線方向取得ユニット、判断ユニット、及びデータ量調整ユニットの一例である。また、ドライバはユーザの一例である。
【００２４】
２．表示制御装置１が実行する処理
表示制御装置１が所定時間ごとに繰り返し実行する処理を図４に基づき説明する。ステップ１では、第１のデータ量調整ユニット１９、第２のデータ量調整ユニット２１、及び第３のデータ量調整ユニット２３が、それぞれ、視線検知装置２９からドライバの視線方向Ｚを取得する。
【００２５】
ステップ２では、第１のデータ量調整ユニット１９、第２のデータ量調整ユニット２１、及び第３のデータ量調整ユニット２３が、それぞれ、前記ステップ２で取得したドライバの視線方向Ｚに基づき、ドライバの視野範囲を設定する。ドライバの視野範囲とは、図３に示すように、ドライバの視線方向Ｚを中心とし、左右方向にそれぞれ角度βの広がりを有する範囲である。角度βは、水平面内での角度である。βの値は、例えば、１５度とすることができる。この場合、視野範囲の幅は３０度となり、人間の一般的な視野範囲（情報受容力に優れる有効視野）と近い値になる。
【００２６】
ステップ３において、第１のデータ量調整ユニット１９は、前記ステップ２で設定した視野範囲内に、第１の表示機１１があるか否かを判断する。なお、第１のデータ量調整ユニット１９は、予め、第１の表示機１１の位置（ドライバから見た方向）を記憶しており、その記憶している第１の表示機１１の位置を用いて上記の判断を行う。例えば、図３に示す例では、第１の表示機１１は視野範囲内にある。
【００２７】
また、第２のデータ量調整ユニット２１は、前記ステップ２で設定した視野範囲内に、第２の表示機１３があるか否かを判断する。なお、第２のデータ量調整ユニット２１は、予め、第２の表示機１３の位置（ドライバから見た方向）を記憶しており、その記憶している第２の表示機１３の位置を用いて上記の判断を行う。例えば、図３に示す例では、第２の表示機１３は視野範囲内にある。
【００２８】
また、第３のデータ量調整ユニット２３は、前記ステップ２で設定した視野範囲内に、第３の表示機１５があるか否かを判断する。なお、第３のデータ量調整ユニット２３は、予め、第３の表示機１５の位置（ドライバから見た方向）を記憶しており、その記憶している第３の表示機１５の位置を用いて上記の判断を行う。例えば、図３に示す例では、第３の表示機１５は視野範囲外にある。
【００２９】
ステップ４において、第１のデータ量調整ユニット１９は、前記ステップ３での判断結果に応じて、第１のデータ量調整ユニット１９におけるデータ量の調整条件を設定する。具体的には、以下のように行う。
【００３０】
第１の表示機１１が視野範囲内である場合は、第１のデータ量調整ユニット１９に、データ量維持条件を設定する。一方、第１の表示機１１が視野範囲外である場合は、第１のデータ量調整ユニット１９に、データ量低減条件を設定する。
【００３１】
また、第２のデータ量調整ユニット２１は、前記ステップ３での判断結果に応じて、第２のデータ量調整ユニット２１におけるデータ量の調整条件を設定する。具体的には、以下のように行う。
【００３２】
第２の表示機１３が視野範囲内である場合は、第２のデータ量調整ユニット２１に、データ量維持条件を設定する。一方、第２の表示機１３が視野範囲外である場合は、第２のデータ量調整ユニット２１に、データ量低減条件を設定する。
【００３３】
また、第３のデータ量調整ユニット２３は、前記ステップ３での判断結果に応じて、第３のデータ量調整ユニット２３におけるデータ量の調整条件を設定する。具体的には、以下のように行う。
【００３４】
第３の表示機１５が視野範囲内である場合は、第３のデータ量調整ユニット２３に、データ量維持条件を設定する。一方、第３の表示機１５が視野範囲外である場合は、第３のデータ量調整ユニット２３に、データ量低減条件を設定する。
【００３５】
なお、上記のように設定したデータ量の調整条件は、後に、データ量の調整条件を設定し直すまで維持される。
３．表示制御装置１及び表示システム３が奏する効果
（１Ａ）表示制御装置１は、第１の表示機１１が視野範囲内にない場合、第１のデータ量調整ユニット１９に、データ量低減条件を設定する。その結果、第１の表示機１１が視野範囲内にない場合における映像信号Ａ２のデータ量は、第１の表示機１１が視野範囲内にある場合よりも小さくなる。
【００３６】
また、表示制御装置１は、第２の表示機１３が視野範囲内にない場合、第２のデータ量調整ユニット２１に、データ量低減条件を設定する。その結果、第２の表示機１３が視野範囲内にない場合における映像信号Ｂ２のデータ量は、第２の表示機１３が視野範囲内にある場合よりも小さくなる。
【００３７】
また、表示制御装置１は、第３の表示機１５が視野範囲内にない場合、第３のデータ量調整ユニット２３に、データ量低減条件を設定する。その結果、第３の表示機１５が視野範囲内にない場合における映像信号Ｃ２のデータ量は、第３の表示機１５が視野範囲内にある場合よりも小さくなる。
【００３８】
よって、表示制御装置１は、表示システム３における総データ量を抑制することができる。また、表示制御装置１は、視野範囲内にある表示機に出力する映像信号のデータ量は小さくしないので、視野範囲内にある表示機の映像品質を維持することができる。
【００３９】
（１Ｂ）表示制御装置１は、複数の表示機のそれぞれについて、視野範囲内に表示機があるか否かを判断し、複数の表示機のそれぞれについて、映像信号のデータ量を調整する。そのため、表示システム３における総データ量を一層低減することができる。
【００４０】
（１Ｃ）映像信号出力ユニット２５、第１の表示機１１、第２の表示機１３、及び第３の表示機１５はデイジーチェーンの形式で接続されている。そのため、映像信号出力ユニット２５と第１の表示機１１とを接続するケーブルは、映像信号Ａ２、Ｂ２、Ｃ２を伝送する。しかしながら、表示制御装置１は、前記（１Ａ）のとおり、映像信号のデータ量を抑制できるので、前記のケーブルにより伝送する映像信号のデータ量を抑制できる。
【００４１】
（１Ｄ）表示制御装置１は、ドライバの顔を撮影した映像に基づき視線方向を検知する機能を有する視線検知装置２９から視線方向を取得する。そのことにより、ドライバの視線方向を容易且つ正確に検知することができる。
＜第２の実施形態＞
１．表示制御装置１及び表示システム３の構成
本実施形態の表示制御装置１及び表示システム３の構成は、基本的には前記第１の実施形態と同様である。以下では、相違点を中心に説明する。図５に示すように、映像信号出力ユニット２５は、映像信号Ａ２を第１の表示機１１に出力し、映像信号Ｂ２を第２の表示機１３に出力し、映像信号Ｃ２を第３の表示機１５に出力する。すなわち、映像信号出力ユニット２５、第１の表示機１１、第２の表示機１３、及び第３の表示機１５は、ピアツーピア（Peer to Peer）の形式で接続されている。
【００４２】
２．表示制御装置１が実行する処理
本実施形態の表示制御装置１は、前記第１の実施形態と同様の処理を実行する。
３．表示制御装置１及び表示システム３が奏する効果
以上詳述した第２の実施形態によれば、前述した第１の実施形態の効果（１Ａ）、（１Ｂ）、（１Ｄ）に加え、以下の効果が得られる。
【００４３】
（２Ａ）本実施形態では、映像信号出力ユニット２５、第１の表示機１１、第２の表示機１３、及び第３の表示機１５は、ピアツーピア（Peer to Peer）の形式で接続されている。そのことにより、映像信号出力ユニット２５と第１の表示機１１とを接続するケーブルが伝送するデータ量を一層低減できる。
＜第３の実施形態＞
１．表示制御装置１及び表示システム３の構成
本実施形態の表示制御装置１及び表示システム３の構成は、基本的には前記第１の実施形態と同様である。以下では、相違点を中心に説明する。図６に示すように、表示システム３は、単一の表示機３３を備える。表示機３３は、画面を３つの領域３３Ａ、３３Ｂ、３３Ｃに分割し、領域３３Ａには映像信号Ａ２に対応する映像を表示し、領域３３Ｂには映像信号Ｂ２に対応する映像を表示し、領域３３Ｃには映像信号Ｃ２に対応する映像を表示する。
【００４４】
あるいは、時間帯を３つに区切り、１番目の時間帯では映像信号Ａ２に対応する映像のみを表示機３３に表示し、２番目の時間帯では映像信号Ｂ２に対応する映像のみを表示し、３番目の時間帯では映像信号Ｃ２に対応する映像のみを表示してもよい。
【００４５】
２．表示制御装置１が実行する処理
本実施形態の表示制御装置１は、基本的には前記第１の実施形態と同様の処理を実行する。本実施形態では、単一の表示機３３を備えるので、前記ステップ３では、表示機３３が視野範囲内であるか否かを判断する。
【００４６】
また、前記ステップ４の処理は、以下のようにする。表示機３３が視野範囲内である場合は、第１のデータ量調整ユニット１９、第２のデータ量調整ユニット２１、及び第３のデータ量調整ユニット２３の全てに、データ量維持条件を設定する。一方、表示機３３が視野範囲外である場合は、第１のデータ量調整ユニット１９、第２のデータ量調整ユニット２１、及び第３のデータ量調整ユニット２３の全てに、データ量低減条件を設定する。
【００４７】
３．表示制御装置１及び表示システム３が奏する効果
以上詳述した第３の実施形態によれば、前述した第１の実施形態の効果（１Ｄ）に加え、以下の効果が得られる。
【００４８】
（３Ａ）表示制御装置１は、表示機３３が視野範囲内にない場合、視野範囲内にある場合よりも、表示機３３に出力する映像信号Ａ２、Ｂ２、Ｃ２のデータ量を小さくする。そのことにより、表示システム３における総データ量を抑制することができる。また、表示機３３が視野範囲内にある場合、映像信号Ａ２、Ｂ２、Ｃ２のデータ量は小さくしないので、視野範囲内にある表示機３３の映像品質を維持することができる。
＜その他の実施形態＞
以上、本発明の実施形態について説明したが、本発明は上記実施形態に限定されることなく、種々の形態を採り得る。
【００４９】
（１）前記第１〜第３の実施形態において、第１のデータ量調整ユニット１９、第２のデータ量調整ユニット２１、及び第３のデータ量調整ユニット２３は、フレームを間引く方法以外の方法でデータ量を調整してもよい。例えば、映像信号を圧縮する、映像信号の解像度を低くする等の方法を使用できる。また、上述した複数の方法から選択した２以上の方法を組み合わせてもよい。
【００５０】
（２）前記第１〜第３の実施形態において、表示機の数は、１個、３個には限定されず、適宜設定することができる。例えば、表示機の数を２、４、５、６・・・個とすることができる。
【００５１】
（３）前記第１〜第３の実施形態において、カメラの数は、表示機の数と同じであってもよいし、異なっていてもよい。例えば、１つのカメラで撮影した映像を、複数の表示機に表示してもよいし、複数のカメラで撮影した映像を、１つの表示機に表示してもよい。
【００５２】
（４）前記第１〜第３の実施形態において、表示システム３は、車両以外の場所に設置される表示システムであってもよいし、ユーザが携帯可能な表示システムであってもよい。また、視線検知装置２９は、ドライバ以外のユーザの視線を検知するものであってもよい。
【００５３】
（５）前記第１〜第３の実施形態において、他の方法でドライバの視線方向を検知してもよい。例えば、第４のカメラ３１で取得した映像において、顔の向きを判断し、顔の正面方向を視線方向としてもよい。
【００５４】
（６）前記第１〜第３の実施形態において、映像信号Ａ１のデータ量と、データ量維持条件が設定されている場合の映像信号Ａ２のデータ量との大小関係は適宜設定することができる。例えば、前者が後者より大きくてもよいし、同じであってもよいし、前者が後者より小さくてもよい。
【００５５】
（７）上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００５６】
（８）上述した表示制御装置、表示システムの他、当該表示制御装置としてコンピュータを機能させるためのプログラム、このプログラムを記録した媒体、表示制御方法、映像信号のデータ量制御方法等、種々の形態で本発明を実現することもできる。
【符号の説明】
【００５７】
１…表示制御装置、３…表示システム、５…第１のカメラ、７…第２のカメラ、９…第３のカメラ、１１…第１の表示機、１３…第２の表示機、１５…第３の表示機、１７…演算ユニット、１９…第１のデータ量調整ユニット、２１…第２のデータ量調整ユニット、２３…第３のデータ量調整ユニット、２５…映像信号出力ユニット、２６…自車両、２６Ａ…後端、２６Ｂ…右側面、２６Ｃ…左側面、２７…ドライバ、２７Ａ…視点、２９…視線検知装置、３１…第４のカメラ、３３…表示機
【図１】
2016149651.tif 000003
【図２】
2016149651.tif 000004
【図３】
2016149651.tif 000005
【図４】
2016149651.tif 000006
【図５】
2016149651.tif 000007
【図６】
2016149651.tif 000008